(57)【要約】【課題】  ペットの排泄時の位置や姿勢に係らず、排泄された尿が排泄容器の底部に残存しないペット用排尿吸収具を提供する。【解決手段】  通気性および通液性を有する第１表面シート１２と通気性および通液性を有する第２表面シート１３と第１および第２表面シート１２，１３間に介在する、フラッフ状繊維１９から成る吸収体１４と前記吸収体１４を、第１表面シート１２側の第１吸収領域１５と、第２表面シート１３側の第２吸収領域１６とに仕切り、非通液性を有する非通液シート１７とを含み、前記吸収体１４は、第１吸収領域１５と第２吸収領域１６とに連なる連続領域２３を有する。【選択図】      図１
2011055758.tif 000002
【特許請求の範囲】
【請求項１】
通気性および通液性を有する第１表面シートと、
通気性および通液性を有する第２表面シートと、
第１および第２表面シート間に介在する、フラッフ状繊維から成る吸収体と、
前記吸収体を、第１表面シート側の第１吸収領域と、第２表面シート側の第２吸収領域とに仕切り、非通液性を有する非通液シートとを含み、
前記吸収体は、第１吸収領域と第２吸収領域とに連なる連続領域を有するペット用排尿吸収具。
【請求項２】
前記吸収体は、吸水性ポリマを含むことを特徴とする請求項１に記載のペット用排尿吸収具。
【発明の詳細な説明】
【技術分野】
【０００１】
本発明は、愛玩動物であるペットの排尿処理材として有用なペット用排尿吸収具に関する。
【背景技術】
【０００２】
近年、愛玩動物であるペットを屋内で飼育する人が増加している。ペットを屋内で飼育する場合、ペットが排泄した尿を吸収して回収するための排尿処理材として、ペット用シートと称されるペット用排尿吸収具が使用される。このようなペット用排尿吸収具は、排泄容器内、または床面に水平に敷設して使用する。
【０００３】
ペット用排尿吸収具は、不織布で形成される表面シートと合成樹脂製の裏面シートとの間に吸収層が介在する構成となっている。吸収層は、薄葉紙とフラッフパルプと、ポリマ吸収体とを含む。ポリマ吸収体は、水分を吸収してゲル状に凝固する高分子吸収体である。吸収層は、フラッフパルプと、ポリマ吸収体とを混合し、厚み方向両側から薄葉紙で挟み込み、層状に形成されている。
【０００４】
表面シートは、多孔質部材であり通液性を有する。吸収層のフラッフパルプ各繊維間には、微細な空隙が形成されている。吸収層は、毛細管現象によって水分を吸収することができる。裏面シートは、合成樹脂性のシートであり通水性を有さない。したがって、ペット用シートの表面シートに尿が排出されると、尿は表面シートおよび薄葉紙を通過し、吸収層のフラッフパルプ領域およびポリマ吸収体に吸収され、裏面シートで厚み方向への浸潤領域の拡大は遮断される。
【０００５】
しかしながら、ペット用排尿吸収具を排泄容器に敷設して使用した場合に、ペットが排泄容器の隅部で排尿を行うと、排尿の一部が排泄容器の周壁に飛散し、周壁に飛散した排尿は、周壁の内面を伝って排泄容器の底部へ導かれる。このような場合、裏面シートは通液性を有さないので、底部に導かれた排尿は底部にそのまま残存するという問題がある。また、ペット用排尿吸収具を床に敷設して使用した場合に、ペットがペット用排尿吸収具の周縁部付近で排尿を行うと、排尿の一部がペット用排尿吸収具の縁部から漏れ出し、漏れ出した排尿は床面に残存するという問題がある。したがって、ペットの排尿を処理する際にペットシートを処理するだけでは足りず、排泄容器の洗浄や床の清掃等を行う必要が生じるという問題がある。また、尿が排泄容器の底部に残存するので、時間の経過と共に臭気が発生し、周囲の人間およびペットに対して不快感を生じさせるという問題がある。
【０００６】
図４は典型的な従来技術のペット用排尿吸収具１を示す一部の拡大断面図であり、図５は、図４に示す典型的な従来技術のペット用排尿吸収具１の平面図である。
【０００７】
従来のペット用排尿吸収具１は、通液性を有する第１表面シート２と非通液性を有する第２表面シート３との間に吸収体４を介在して構成される。このような従来のペット用排尿吸収具１は、ペット用の排泄容器内または床面に第１表面シート２を上方、すなわち排尿をするためにペット用排尿吸収具１上に乗ったペットに臨むように敷設して使用される。このようにして使用されるペット用排尿吸収具１は、例えば特許文献１に記載されている。
【先行技術文献】
【特許文献】
【０００８】
【特許文献１】特開２００３−１５８９３０号公報
【発明の概要】
【発明が解決しようとする課題】
【０００９】
前述の特許文献１に記載の従来技術では、排泄容器内または床面に敷設されたペット用排尿吸収具の上方に臨む表面上に排泄された尿は、第１表面シートの排泄領域から周囲に広がりながら、その排泄領域の真下の吸収体に毛細管現象によって厚み方向および面方向に浸透し、裏面側の第２表面シートに到達し、面方向に浸潤領域を拡大させながら浸透する。この浸潤領域は、排泄された尿のすべてが吸収体に吸収され、毛細管現象が生じなくなるまで進行する。
【００１０】
ペット用排尿吸収具を排泄容器に敷設して使用した場合には、ペットの排泄時の位置または姿勢によって、排泄容器の周壁に尿が飛散する場合があるが、周壁に飛散した尿は、周壁の内面を伝って底部へ導かれる。しかしながら、従来のペット用排尿吸収具は、前述のように第２表面シートが非通液性を有する非通液シートから成るため、前記底部へ流れ込んだ尿を吸収することができず、尿が排泄容器の底部に残存するという問題がある。
【００１１】
また、ペット用排尿吸収具を床に敷設して使用した場合には、ペットの排泄時の位置または姿勢によって、排尿の一部がペット用排尿吸収具から漏れ出し、ペット用排尿吸収具の端部を伝って床面に導かれ、漏れ出した排尿は床面に残存するという問題がある。
【００１２】
本発明の目的は、ペットの排泄時の位置や姿勢に係らず、排泄された尿が排泄容器の底部または床面に残存しないペット用排尿吸収具を提供することである。
【課題を解決するための手段】
【００１３】
本発明は、通気性および通液性を有する第１表面シートと、
通気性および通液性を有する第２表面シートと、
第１および第２表面シート間に介在する、フラッフ状繊維から成る吸収体と、
前記吸収体を、第１表面シート側の第１吸収領域と、第２表面シート側の第２吸収領域とに仕切り、非通液性を有する非通液シートとを含み、
前記吸収体は、第１吸収領域と第２吸収領域とに連なる連続領域を有することを特徴とするペット用排尿吸収具である。
【００１４】
また本発明は、前記吸収体は、吸水性ポリマを含むことを特徴とする。
【発明の効果】
【００１５】
本発明によれば、第１表面シートおよび第２表面シートが通気性および通液性を有しているので、排泄容器内または床面に敷設されたペット用排尿吸収具の上方に臨む表面上に排泄された尿は、第１表面シートに排泄領域から周囲に広がりながら、その排泄領域の真下の吸収体である、第１吸収領域に毛細管現象によって厚み方向および面方向に浸透し、非通液シートに到達し、面方向に浸潤領域を拡大させながら浸透する。また、非通液シートに到達した排尿の一部は、第１吸収領域から連続領域を介して厚み方向に浸潤領域を拡大させながら第２吸収領域まで浸透する。
【００１６】
ペット用排尿吸収具を排泄容器に敷設して使用した場合に、排泄容器の周壁に飛散し、第１吸収領域に吸収されることなく排泄容器の底部に到達した排尿は、排泄容器の底部において、第２表面シートから第２吸収領域に毛細管現象によって厚み方向および面方向に浸透し、非通液シートに到達し、面方向に浸潤領域を拡大させながら浸透する。このように、ペットの排泄時の位置または姿勢によって、排泄容器の周壁に尿が飛散し、周壁に飛散した尿が周壁の内面を伝って底部へ導かれた場合であっても、底部において排尿を吸収することができるので、排泄容器の底部に排尿が残存することを防ぐことができる。
【００１７】
また、吸収体を、第１表面シート側の第１吸収領域と、第２表面シート側の第２吸収領域とに仕切り、非通液性を有する非通液シートとを含むので、排泄された尿の一部が第１表面シート側から吸収体の第１吸収領域に浸透した場合であっても、厚み方向において浸潤領域の拡大は、一旦非通液シートに遮られるので、第１表面シートから浸透した排尿の多くは第１吸収領域で吸収される。したがって、排泄された尿の残りが排泄容器の周壁内面を伝って底部へ導かれた場合に、第２吸収領域は十分な吸液力を有しているので、排泄された尿の残りを第２表面シート側から十分に吸収することができ、排泄容器の底部に排尿が残存することを防ぐことができる。
【００１８】
また、吸収体は第１吸収領域と第２吸収領域とに連なる連続領域を有するので、たとえばペットがペット用排尿吸収具の周縁部で排尿を行った場合であっても、連続領域を介して一方の領域から他方の領域に排尿が浸透し、排尿がペット用排尿吸収具の端部から漏れ出すことを防ぐことができる。したがって、漏れ出した排尿が床面または排泄容器の底部に到達することを防ぐことができる。
【００１９】
また本発明によれば、吸収体は吸水性ポリマを含むので、多量の排尿を吸収し、保持することが出来る。
【図面の簡単な説明】
【００２０】
【図１】本発明の一実施形態であるペット用排尿吸収具１０の断面図である。
【図２】本実施形態のペット用排尿吸収具１０の斜視図である。
【図３】本実施形態のペット用排尿吸収具１０にペットである犬２２が排尿している状態を示す図である。
【図４】典型的な従来技術のペット用排尿吸収具１を示す一部の拡大断面図である。
【図５】図４に示す典型的な従来技術のペット用排尿吸収具１の平面図である。
【発明を実施するための形態】
【００２１】
図１は、本発明の一実施形態であるペット用排尿吸収具１０の断面図である。また、図２は本実施形態のペット用排尿吸収具１０の斜視図である。ペット用排尿吸収具１０は、排泄容器内に敷設しても、床面に直接敷設してもよいが、以下では、ペット用排尿吸収具１０を排泄容器１１内に敷設して使用した場合について説明を行う。本実施形態のペット用排尿吸収具１０は、ペットの排尿場所である排泄容器１１内などにほぼ水平に敷設して使用するシート状の吸収性物品であり、犬および猫などのペットが排泄した尿を吸収して回収するために用いられる。前記排泄容器１１は、液体を貯留することのできる無孔の容器であり、平坦な四角形状の底部１１ａの４つの側縁部からほぼ直角に立ち上がる周壁１１ｂが、一体的に形成される合成樹脂製の容器である。
【００２２】
ペット用排尿吸収具１０は、通気性および通液性を有する第１表面シート１２と通気性および通液性を有する第２表面シート１３と吸収体１４と吸収体１４を第１表面シート１２側の第１吸収領域１５と、第２表面シート１３側の第２吸収領域１６とに仕切り、非通液性を有する非通液シート１７とを含む。
【００２３】
ペット用排尿吸収具１０において、第１表面シート１２と第２表面シート１３とは面方向にほぼ同じ大きさを有し、周縁部１８でホットメルト接着などによって接合され、第１表面シート１２と第２表面シート１３との間に吸収体１４が介在して構成される。また吸収体１４には、非通液性を有する非通液シート１７が介在して構成され、非通液シート１７によって吸収体１４は、第１表面シート１２側の第１吸収領域１５と第２表面シート１３側の第２吸収領域１６とに仕切られている。また吸収体１４は、第１吸収領域１５と第２吸収領域１６とに連なる連続領域２３を含んで構成される。
【００２４】
第１表面シート１２および第２表面シート１３は、通気性および通液性を有するシートであればよく、たとえば合成繊維および再生繊維から成る繊維シートまたは繊維ウェッブの繊維同士を物理的に交絡させて形成される不織布などを用いることができる。本実施の形態では、不織布を用いて形成される。第１表面シート１２および第２表面シート１３は、通気性および通液性を有するシートであるので、第１表面シート側および第２表面シート側のいずれの側からでも、排尿を吸収することができる。また、第１表面シート１２および第２表面シート１３の吸収体１４に臨む内方面は、吸収体１４とほぼ全面にわたって接触している。
【００２５】
吸収体１４は、フラッフ状繊維１９、吸水性ポリマ２０および消臭剤２１を含む。フラッフ状繊維１９は、たとえばパルプを１ｍｍ以上１０ｍｍ以下の長さに切断したものであって、綿状にした綿状パルプを用いることができる。吸収体１４は、フラッフ状繊維１９で形成されるので、吸収体１４は繊維間に多数の空隙を有する。したがって、液体を面方向および厚み方向に効率よく移動させて吸収することができる。
【００２６】
吸水性ポリマ２０は、自重の約１０倍以上３００倍以下の水分を吸収してゲル状に凝固する高分子吸収体であり、吸水性ポリマ２０としては、たとえば抗菌性を有する吸水性ポリマや荷重下通液性を有する吸水性ポリマ等を用いることができる。前記抗菌性を有する吸水性ポリマの例としては商品名サンフレッシュＳＴ−９００Ｅ、サンダイヤポリマー株式会社製を挙げることができ、荷重下通液性を有する吸水性ポリマとしては、商品名サンウェットＩＭ−９３０、サンダイヤポリマー株式会社製を挙げることができる。本実施形態では、吸水性ポリマ２０として、アクリル酸ナトリウム塩およびアクリル酸カリウム塩などのポリマ吸収体に、抗菌剤を電気的に重合させて付着させた抗菌性を有する高機能ポリマ吸収体を用いている。このように吸水性ポリマ２０が抗菌性も有することで、吸収体１４における菌の繁殖を抑えることができる。
【００２７】
また、本実施形態では、吸水性ポリマ２０は、吸収体１４内に均等に分散されている。このように構成されることによって、ペットの排尿が第１表面シート１２上のいずれの部分から滴下された場合であっても、効率よく排尿を吸収し保持することができる。
【００２８】
消臭剤２１としては、あらゆる公知の消臭剤、たとえば銀イオンやクエン酸、活性炭等を用いることができ、本実施形態ではヒノキチオールを消臭剤２１として用いている。吸収体１４が消臭剤２１を含むことによって、時間の経過と共に吸収された尿中の尿素がアンモニアに分解された場合であっても、アンモニア臭が周囲に漏れ出すことを防ぐことができる。
【００２９】
本実施形態では、消臭剤２１は、吸収体１４内に均等に分散されている。このように構成されることによって、ペットの排尿が第１表面シート１２上のいずれの部分から滴下された場合であっても、アンモニア臭が周囲に漏れ出すことを防ぐことができる。
【００３０】
第１吸収領域１５と第２吸収領域１６とは、その厚みが特に限定されるわけではないが、たとえば第１吸収領域１５の厚みＴ１と第２吸収領域１６の厚みＴ２との厚みの比は、２：１〜３：１の範囲内で選ばれ、本実施形態では、第１吸収領域１５の厚みはＴ１は２ｍｍに、第２吸収領域１６の厚みＴ２は１ｍｍに構成される。ここでいう第１吸収領域１５の厚みＴ１とは、非通液シート１７の第１吸収領域１５に臨む面から第１表面シート１２の吸収体１４に臨む内方面までの距離をいい、第２吸収領域１６の厚みＴ２とは、非通液シート１７の第２吸収領域１６に臨む面から第２表面シート１３の吸収体１４に臨む内方面までの距離をいう。排泄容器１１内に敷設した場合に、鉛直方向下方に設けられる第２吸収領域１６よりも、ペットと対向する第１表面シート１２側の第１吸収領域１５のほうが、ペットの排尿をより多く吸収する必要がある。したがって、前記範囲内のように第１吸収領域１５の厚みＴ１を第２吸収領域１６の厚みＴ２よりも厚く設けることによって、吸収体１４を余分に設けることなく排泄された尿をすべて吸収することができる。
【００３１】
また、本実施形態のように一方の吸収領域である第１吸収領域１５の厚みＴ１を他方の吸収領域である第２吸収領域１６の厚みＴ２よりも厚く形成する場合には、第１吸収領域１５の第１表面シート１２寄りの位置に色つきのシートを介在させてもよい。前述のように、ペットと対向する第１表面シート１２側の第１吸収領域１５の方が、第２吸収領域１６よりもペットの排尿をより多く吸収する必要がある。したがって、第２吸収領域１６よりも厚みがあり多くの排尿を吸収することのできる第１吸収領域１５の第１表面シート１２寄りの位置に色つきのシートを介在させることによって、第１表面シート１２と第２表面シート１３とを目視によって容易に見分けることができるので、どちらの表面シートを鉛直方向上方に向けて敷設すればいいのかを容易に理解でき、排泄された尿をすべて吸収することができるように容易に敷設することができる。
【００３２】
非通液シート１７は、吸収体１４内に面方向に沿って介在するシート状部材であって、吸収体１４を第１表面シート１２側の第１吸収領域１５と、第２表面シート１３側の第２吸収領域１６とに仕切るように設けられる。また、ペット用排尿吸収具１０の長辺方向および短辺方向に臨む非通液シート１７の端面２４は、第１表面シート１２から面方向全周にわたって離間して設けられ、非通液シート１７と第１表面シート１２との間に連続領域２３が形成される。非通液シート１７は、非通液性で可撓性を有するシートなどを用いて形成することができ、本実施の形態では、ポリエチレン製のシートが用いられる。非通液シート１７が非通液性を有するので、排尿が第１表面シート１２側から吸収体１４の第１吸収領域１５に浸透した場合であっても、一旦非通液シート１７に遮られ、排尿の多くは第１吸収領域１５で吸収され保持される。したがって、排尿の一部が排泄容器１１の周壁１１ｂ内面を伝って底部１１ａへ導かれた場合に、第２吸収領域１６は十分な吸液力を有することができる。したがって、第１表面シート１２側および第２表面シート１３側の両側から排尿を吸収することができる。
【００３３】
また、非通液シート１７は可撓性を有するので、ペットが排尿を行うためにペット用排尿吸収具１０に乗り、ペットの体重によってペット用排尿吸収具１０が変形する場合であっても、割れたりすることがないので、常に第１吸収領域１５と第２吸収領域１６とを仕切ることができる。
【００３４】
連続領域２３は、ペット用排尿吸収具１０の長辺方向および短辺方向に臨む非通液シート１７の端面２４と第１表面シート１２との間に形成される。前記非通液シート１７の端面２４から第１表面シート１２までの距離である連続領域２３の幅Ｗ３は特に限定されないが、たとえば後述するペット用排尿吸収具１０の長辺方向の幅Ｗ１と連続領域２３の幅Ｗ３との比は１００：１〜１００：８の範囲内で選ばれ、後述するペット用排尿吸収具１０の短辺方向の幅Ｗ２と連続領域２３の幅Ｗ３との比は１００：２〜１００：１１の範囲内で選ばれ、連続領域２３の幅Ｗ３は５〜３０ｍｍの範囲内に選ばれる。本実施形態では、連続領域２３の幅Ｗ３は５〜１０ｍｍに構成される。
【００３５】
このように連続領域２３が形成されることによって、たとえばペットがペット用排尿吸収具１０の周縁部で排尿を行った場合であっても、連続領域２３を介して一方の吸収領域から他方の吸収領域に排尿が浸透するので、排尿が行われた側の吸収領域の周縁部付近の吸収容量を排尿量が超える前に排尿が行われた側の吸収領域から他方の吸収領域に排尿を浸透させ保持することができる。したがって、排尿がペット用排尿吸収具の端部から漏れ出すことを防ぐことができ、漏れ出した排尿が排泄容器１１の底部に到達することを防ぐことができる。
【００３６】
ペット用排尿吸収具１０の外形および外形寸法は特に限定されるものではないが、たとえば、外形は長辺方向の幅Ｗ１と長辺方向に垂直な短辺方向の幅Ｗ２と全高Ｔ３とを有する平面形状が長方形のシートであって、長辺方向の幅Ｗ１は３５０〜９５０ｍｍであり、長辺方向に垂直な短辺方向の幅Ｗ２は３３０〜６５０ｍｍであり、全高Ｔ３は３０〜３４０ｍｍである。
【００３７】
また、エンボス加工によって吸収体１４の第１表面シート１２および第２表面シート１３に臨む表層には面方向に微細な凹部と凸部とが交互に隣接した状態で形成してもよい。たとえば、表層の凸部の先端部から吸収体１４のエンボス加工されていない側の面までの厚みを、１ｍｍ以上３ｍｍ以下の範囲内で形成し、凹部における底部の表面部分から吸収体１４のエンボス加工されていない側の面までの厚みを、表層の凸部の先端部から吸収層のエンボス加工されていない側の面までの厚みの７０％以上８０％以下に形成する。このように、第１表面シート１２および第２表面シート１３に臨む表層に、凹部および凸部が一様に分布して形成されることによって、吸収体１４の表層が平坦である場合と比較して、表層の表面の面方向の単位面積あたりの表面積が約１．３倍となる。
【００３８】
また、本実施形態では第１吸収領域１５の厚みＴ１は、第２吸収領域１６の厚みＴ２よりも厚く設けられるが、第１吸収領域１５の厚みＴ１と第２吸収領域の厚みＴ２とを等しい厚みとしてもよい。このようにすることによって、どちらの領域においても等しい量の排尿を吸収することができるので、排泄容器１１にペット用排尿吸収具１０を敷設する場合に、第１表面シート１２を上方に臨んで設置する必要がない。換言すれば、どちらの表面を上方に臨むかを確認せずに排泄容器内に敷設することができる。したがって、ペット用排尿吸収具１０の敷設をより容易にすることができる。
【００３９】
また、吸収体１４における吸水性ポリマ２０の、分散率は特に限定されないが、１ｍ2あたり８ｇ以上３０ｇ以下の範囲で含まれることが好ましい。このような範囲内で含まれることにより、排尿を均一に吸収することができる。
【００４０】
また、本実施形態では、消臭剤２１は、吸収体１４内に均等に分散されているが、非通液性シート１７の第１および第２吸収領域１５，１６に臨む両面に吹き付けることによって構成されてもよい。このようにすることによって、消臭剤２１が蒸発することを抑制することができるので、ペット用排尿吸収具１０を長期間保存した場合などであっても消臭効果を好適な状態に維持することができる。
【００４１】
また、本実施形態では、連続領域２３の幅Ｗ３は不均一に形成されるが、このような形態に限られず、連続領域２３の幅Ｗ３を均一に形成してもよい。また、ペット用排尿吸収具１０の長辺における連続領域２３の幅Ｗ３を所定の長さで均一に形成し、ペット用排尿吸収具１０の短辺における連続領域２３の幅Ｗ３をペット用排尿吸収具１０の長辺における連続領域２３の幅よりも長いまたは短い幅に形成してもよい。
【００４２】
また本実施形態では、連続領域２３は、ペット用排尿吸収具１０の長辺および短辺のいずれにも形成、すなわち吸収体１４の全周にわたって形成されるが、連続領域２３が形成される範囲はこのような形態に限られず、ペット用排尿吸収具１０の長辺または短辺のいずれか一方のみに連続領域２３が形成されてもよい。
【００４３】
また、第２表面シート１３の吸収体１４に臨む一表面とは反対側の他表面に、両面に粘着層を有するテープ状部材である、両面テープを設けてもよい。前記第２表面シート１３の他表面に両面テープを設ける場合には、一方の粘着層を前記第２表面シート１３の他表面に対向するように貼着し、他方の粘着層には、剥離紙または剥離フィルムを剥離可能に貼着する。このような構成とすることによって、ペット用排尿吸収具１０の敷設時に、剥離紙または剥離フィルムを他方の粘着層から剥離し、剥離紙または剥離フィルムを剥離した他方の粘着層が床面または排泄容器１１の底部に対向するように、床または排泄容器１１内の所望の位置にペット用排尿吸収具１０を敷設することで、ペットがペット用排尿吸収具１０に乗って動いたりする場合であっても、ペット用排尿吸収具１０を所望の位置から動かさないようにすることができる。
【００４４】
また、粘着テープが設けられるのは、第２表面シート１３に限られず、第１表面シート１２にも同様に形成することができる。また、設けられる両面テープの形状や寸法、数などは特に限定されることはないが、たとえば両面テープが設けられる第１または第２表面シート１２，１３の表面の中央部付近に１つ〜２つ設けてもよい。
【００４５】
図３は本実施形態のペット用排尿吸収具１０にペットである犬２２が排尿している状態を示す図である。本実施形態のペット用排尿吸収具１０は、排泄容器１１内に敷設して使用され、ペットがペット用排尿吸収具１０の第１表面シート１２の上方に臨む表面に向かって尿を排泄する。
【００４６】
排泄容器１１の周壁部の近辺で排尿が行われた場合には、排泄された尿の一部は、第１表面シート１２の上方に臨む表面に滴下し、第１表面シート１２の排泄領域から周囲に広がりながら、その排泄領域の真下の吸収体の領域である、第１吸収領域１５に毛細管現象によって厚み方向および面方向に浸透し、非通液シート１７に到達し、面方向に浸潤領域を拡大させながら浸透し、連続領域２３を介して第２吸収領域にも浸透し、保持される。また、排尿された尿の残りは、排泄容器１１の周壁１１ｂに飛散し、第１吸収領域１５に吸収されることなく排泄容器１１の底部１１ａに到達する。排泄容器１１の底部１１ａに到達した排尿は、排泄容器１１の底部１１ａにおいて、第２表面シート１３から第２吸収領域１６に毛細管現象によって厚み方向および面方向に浸透し、非通液シート１７に到達し、面方向に浸潤領域を拡大させながら浸透し、保持される。このように、ペットの排泄時の位置または姿勢によって、排泄容器１１の周壁１１ｂに尿が飛散し、周壁１１ｂに飛散した尿が周壁１１ｂの内面を伝って底部１１ａへ導かれた場合であっても、底部１１ａにおいて排尿を吸収することができるので、排泄容器１１の底部１１ａに排尿が残存することを防ぐことができる。
【００４７】
また、排泄容器１１の中央部付近で排尿が行われた場合には、排泄された尿は、第１表面シート１２の上方に臨む表面に滴下し、第１表面シート１２の排泄領域から周囲に広がりながら、その排泄領域の真下の吸収体の領域である、第１吸収領域１５に毛細管現象によって厚み方向および面方向に浸透し、非通液シート１７に到達し、面方向に浸潤領域を拡大させながら浸透し、さらに連続領域を介して第２吸収領域１６に浸潤領域を拡大させながら浸透し保持される。したがって、本実施形態のペット用排尿吸収具１０では、ペットの排泄時の位置または姿勢に係らず、排泄された尿のすべてを吸収することができる。
【００４８】
また、本実施形態のペット用排尿吸収具１０は、前述のように排泄容器１１内に敷設して使用するだけでなく、床に直接敷設して使用することもできる。床に直接敷設して使用する場合には、第１表面シート１２をペットと対向するように敷設する。すなわち第１吸収領域１５を第２吸収領域１６よりも鉛直方向上方になるように敷設する。このように敷設することによって、吸収体１４を余分に設けることなく排泄された尿をすべて吸収することができる。
【００４９】
また、床に直接敷設して使用した場合において、ペットがペット用排尿吸収具１０の周縁部で排尿を行った場合であっても、連続領域２３を介して一方の吸収領域から他方の吸収領域に排尿が浸透するので、排尿が行われた側の吸収領域の周縁部付近の吸収容量を排尿量が超える前に排尿が行われた側の吸収領域から他方の吸収領域に排尿を浸透させることができる。このことから、排尿がペット用排尿吸収具の端部から漏れ出すことを防ぐことができ、漏れ出した排尿が床面に到達することを防ぐことができる。
【００５０】
また、仮に漏れ出した排尿が床面に到達した場合であっても、床面に対向する第２表面シート１３も通液性を有するので、床面において、第２表面シート１３から第２吸収領域１６に毛細管現象によって厚み方向および面方向に浸透し、非通液シートに到達し、面方向に浸潤領域を拡大させながら浸透し、保持される。したがって、漏れ出した排尿が床面に残存することを防ぐことができ、時間の経過と共に尿中の尿素がアンモニアに分解され、アンモニア臭が発生することを防ぐことができる。
【符号の説明】
【００５１】
１０  ペット用排尿吸収具
１１  排泄容器
１２  第１表面シート
１３  第２表面シート
１４  吸収体
１５  第１吸収領域
１６  第２吸収領域
１７  非通液シート
１８  周縁部
１９  フラッフ状繊維
２０  吸水性ポリマ
２１  消臭剤
２２  犬
２３  連続領域
２４  端面
【図１】
2011055758.tif 000003
【図２】
2011055758.tif 000004
【図３】
2011055758.tif 000005
【図４】
2011055758.tif 000006
【図５】
2011055758.tif 000007